(57)【要約】【課題】非清掃時において、前車輪の位置に規制されることなく、吸込手段を掃除機本体に容易かつ確実に係止してスタンド収納することができる電気掃除機を得る。【解決手段】内部に集塵室や電動送風機が設けられ、底部の前部側に一対の前車輪５が設けられ後部両側には一対の後車輪４が設けられて前部側に吸込手段１０、１２、１３が接続され、非清掃時に吸込手段に設けたフック１４を底部に設けたフック係止部９に係止してスタンド状態にする掃除機本体１を備え、フック係止部９を、一対の前車輪５の間に設けた。そして、掃除機本体１の底部の前車輪５の周囲に、前車輪５より低い前車輪外周突部６を設け、前車輪外周突部６の前車輪５の間に前部側に開口するガイド溝８を設け、ガイド溝８の後側端部にフック１４が係止するフック係止部９を設けた。【選択図】図３
2010029369.tif 000002
【特許請求の範囲】
【請求項１】
内部に集塵室や電動送風機が設けられ、底部の前部側に一対の前車輪が設けられ後部両側には一対の後車輪が設けられて前部側に吸込手段が接続され、非清掃時に前記吸込手段に設けたフックを前記底部に設けたフック係止部に係止してスタンド状態にする掃除機本体を備え、
前記フック係止部を、前記一対の前車輪の間に設けたことを特徴とする電気掃除機。
【請求項２】
前記吸込手段は、一端に手元ハンドルを有し前記掃除機本体に接続されるホース、前記手元ハンドルに接続される延長管、及び該延長管に接続される床ブラシを有し、前記フックを前記延長管に設けたことを特徴とする請求項１記載の電気掃除機。
【請求項３】
前記掃除機本体の底部の前車輪の周囲に、該前車輪より低い前車輪外周突部を設け、該前車輪外周突部の前記前車輪の間に前部側に開口するガイド溝を設け、該ガイド溝の後側端部に前記フックが係止するフック係止部を設けたことを特徴とする請求項１又は２記載の電気掃除機。
【請求項４】
前記ガイド溝を前記フックとほぼ等しい幅に形成してその前部側を除々に拡幅し、前端部に前記フックの挿入部を形成したことを特徴とする請求項３記載の電気掃除機。
【発明の詳細な説明】
【技術分野】
【０００１】
本発明は、電気掃除機に係り、より詳しくは、清掃作業終了後のスタンド収納時に、延長管などの吸込手段を掃除機本体に保持することができる電気掃除機に関する。
【背景技術】
【０００２】
従来の電機掃除機は、清掃作業終了後に、掃除機本体を起立したスタンド状態にして床面に設置する。そして、掃除機本体に接続したままのホ−ス、延長管、床ブラシなどの吸込手段を掃除機本体に沿って垂直方向に結合して保管している。
【０００３】
このとき、延長管に設けたフックを、掃除機本体の底面に設けた１個の前車輪の前側もしくは左右のいずれかの側に設けたフック固定穴、あるいは別部品により構成するスタンドホルダーに装着する。この際、床ブラシが床面に接触する状態になるようにフックの位置を調整し、あるいはパイプの長さや床ブラシ接続部の長さを調整して、スタンド収納時の転倒を防止するようにしている（例えば、特許文献１参照）。
【０００４】
【特許文献１】特開２００６−２５５３０５号公報（第４−５頁、図１）
【発明の開示】
【発明が解決しようとする課題】
【０００５】
特許文献１記載の電気掃除機においては、フック固定穴の上下位置の調整は前車輪が干渉するためこれに規制されて調整範囲が狭く、また、左右方向に位置調整をするとスタンド収納時の掃除機本体のバランスが悪くなって転倒するおそれがある。さらに、延長管や床ブラシによって長さ調整を行う場合は別部品を追加しなければならず、あるいは長くなるために梱包形態が大きくなってしまうという問題があった。
【０００６】
本発明は、上記のような課題を解決するためになされたもので、非清掃時において、前車輪の位置に規制されることなく吸込手段を掃除機本体に容易かつ確実に係止してスタンド収納することができる電気掃除機を得ることを目的とする。
【課題を解決するための手段】
【０００７】
本発明に係る電気掃除機は、内部に集塵室や電動送風機が設けられ、底部の前部側に一対の前車輪が設けられ後部両側には一対の後車輪が設けられて前部側に吸込手段が接続され、非清掃時に吸込手段に設けたフックを底部に設けたフック係止部に係止してスタンド状態にする掃除機本体を備え、フック係止部を、一対の前車輪の間に設けたものである。
【発明の効果】
【０００８】
前車輪に規制されることなく、フック係止部の位置を自由に設定することができるので、清掃作業後のスタンド収納時において、吸込手段の着脱性の向上を図ることができる。また、スタンド収納時に吸込手段の長さ調整を行う必要がなく、製品の減量化、製品包装の減量化が可能となる。さらに、前車輪が一対設けられているので、清掃作業時においても走行安定性を向上させることができる。
【発明を実施するための最良の形態】
【０００９】
図1は本発明の一実施の形態に係る電気掃除機のスタンド収納状態を示す側面図、図２は図１の背面図、図３は図２の掃除機本体の要部を拡大した背面図、図４は図３のイ−イ断面図、図５は図１の要部を拡大した断面図である。
図において、電気掃除機は、内部に電動送風機や集塵室など（図示せず）が設けられた掃除機本体１を備え、掃除機本体１の前側（図１、図２の紙面上側）に設けたホース接続口１ａには吸込手段が連結されている。吸込手段は、手元ハンドル１１を備えたホース１０、延長管１２及び床ブラシ（床用吸込み具）１３からなり、掃除機本体１のホース接続口１ａにホース１０の一端が着脱可能に接続され、ホース１０の他端に設けた手元ハンドル１１には延長管１２の一端が着脱可能に接続されており、延長管１２の他端には床面の塵埃を吸い込むための床ブラシ１３が着脱可能に接続されている。延長管１２は使用者の背丈に対応すべく伸縮可能に形成されており、掃除機本体１の下ケース底面に設けたフック係止部（後述）に係止するＬ字状のフック（係止突部）１４（図５参照）が取り付けられている。なお、フック１４は延長管１１でなく吸込手段の他の部分に設けてもよい。
【００１０】
掃除機本体１の下部を構成する箱形状の下ケ−ス２の底面には下ケース底面３が形成され、下ケ−ス２の後側の両側面（図２の紙面下側の左右）には、掃除機本体１を前後に走行させるための一対の後車輪４が取付けられている。また、下ケース底面３の前側（図１、図２の紙面上側）には、掃除機本体１を前後方向に走行させるとともに自在に旋回させることができる一対の前車輪（キャスタ）５が取り付けられている。
【００１１】
また、図３に示すように、下ケース底面３には前車輪５を囲んで前車輪５よりも若干低い前車輪外周突部６が一体に突設されており、前車輪外周突部６の両側はほぼ半円状に拡幅され、後側はほぼコ字状に縮幅されている。
【００１２】
前車輪外周突部６の両側のほぼ半円形状の部分には、図４に示すように、それぞれ円形の前車輪保護穴７がほぼ下ケース底面３の位置（必ずしも同一平面とは限られない）まで形成されている。この前車輪保護穴７は内周に設けた立ち壁７ａに囲まれて障害物や異物の侵入を防いでおり、その内部には前車輪５が走行自在及び旋回自在に軸支されている。
【００１３】
また、前車輪外周突部６の両前車輪保護穴７の間には、図３に示すように、フック１４とほぼ等しい幅で前部側に向かって徐々に拡幅され前端部に開口して挿入口８ａが形成されたガイド溝８が設けられており、前車輪外周突部６のコ字状部近傍に位置する後端部には、前部側に開口するほぼコ字状のフック係止部９が設けられている。このフック係止部９は、電気掃除機の非使用時にスタンド収納する場合に、延長管１２に取付けたフック１４が係止する。
【００１４】
次に、上記のように構成した本発明に係る電気掃除機の作用を説明する。
まず、掃除機本体１に設けた電源コード（図示せず）を商用電源に接続し、床ブラシ１３を床面上に位置させて、ホース１０の手元ハンドル１１に設けた電源スイッチをＯＮにする。これにより、掃除機本体１内に設けた電動送風機が駆動され、その吸引力によって塵埃等を含む空気が床ブラシ１３から吸引される。
【００１５】
こうして、床ブラシ１３から吸い込まれた塵埃等を含む空気流は、延長管１２、ホース１０を経て掃除機本体１内の集塵室に送られ、塵埃等と空気等に分離される。分離された塵埃等は集塵室内に補足されて堆積し、空気はフィルタによって清掃化され、電動送風機等を冷却したのち、後部等に設けた排気口から外部へ排出される。
【００１６】
このとき、掃除機本体１の下ケース底面３及びこれから突設された前車輪外周突部６は、床面から一定の距離だけ離れて空間部が形成されるような高さになっているので、障害物を乗り越える際に引掛ることがなく、安定して走行することができる。
【００１７】
掃除が終わったときは、掃除機本体１を起立させて、図１、図２に示すように、スタンド収納状態とする。そして、延長管１２に取り付けたフック１４を、掃除機本体１の下ケース底面３に設けたガイド溝８の挿入口８ａからガイド面８ｂに沿って下降させ、図５に示すように、フック係止部９に係止させて固定する。
こうして、図１および図２に示すように、延長管１２は電気掃除機の掃除機本体１に固定され、吸込手段は掃除機本体１の垂直方向に保持される。
【００１８】
本発明に係る電気掃除機によれば、前車輪５の位置に規制されることなく、フック係止部９の位置を自由に設定することができるので、清掃作業後のスタンド収納時において、延長管１２の着脱性を向上することができる。また、前車輪５が一対設けられ、しかも前車輪外周突部６の底面６ａと床面との間に空間部が設けられているので、清掃作業時においても走行安定性を向上させることができる。
【００１９】
上記の説明では、図示の電気掃除機に本発明を実施した場合を示したが、これに限定するものではなく、他の構造の電気掃除機にも本発明を実施することができる。
【図面の簡単な説明】
【００２０】
【図１】本発明の一実施の形態に係る電気掃除機のスタンド収納状態を示す側面図である。
【図２】図１の背面図である。
【図３】図２の掃除機本体の要部を拡大した背面図である。
【図４】図３のイ−イ断面図である。
【図５】図１の要部を拡大した断面図である。
【符号の説明】
【００２１】
１  掃除機本体、２  下ケース、３  下ケース底面、４  後車輪、５  前車輪、６  前車輪外周突部、６ａ  前車輪外周突部の底面、７  前車輪保護穴、７ａ  立ち壁、８  ガイド溝、８ａ  挿入口、９  フック係止部、１０  ホース、１２  延長管、１３  床ブラシ（床用吸込み具）、１４  フック。
【図１】
2010029369.tif 000003
【図２】
2010029369.tif 000004
【図３】
2010029369.tif 000005
【図４】
2010029369.tif 000006
【図５】
2010029369.tif 000007